(57)【要約】      （修正有）【課題】取っ手を押し引きすることにより扉を開放することができるモーチスロックを提供する。【解決手段】ユーザによって押し引きされる取っ手１０と、扉の前面及び後面の一側に装着され、取っ手１０が回動できるように、取っ手１０の一側が挿入固定されるローズ２０と、ローズ２０に挿入された取っ手１０の一側が連結されて、取っ手１０の回動によって上下摺動するギアガイドと、一側は、ギアガイドに連結され、他側は、ラッチに連結されて、ギアガイドの上下摺動により特定方向に回転するラッチ駆動部３０と、を含み、ラッチ駆動部３０が特定方向に回転すると、ラッチが突出又は引込まれる。室内側又は室外側でユーザが取っ手１０を押すか引くような１ステップの動作だけで、扉を容易に開放することができる。【選択図】図３
2016035186.tif 000002
【特許請求の範囲】
【請求項１】
ラッチの突出又は引込みで扉の開閉を決定し、デッドボルトの突出で扉のロックを決定し、デッドボルトの引込みで扉のロック解除を決定するモーチスロックにおいて、
ユーザによって、押し引きされる取っ手と、
前記扉の前面及び後面の一側に装着され、前記取っ手が回動できるように、前記取っ手の一側が挿入固定されるローズと、
一側は、前記ローズに挿入された前記取っ手の一側に連結され、他側は、前記ラッチに連結されて、前記取っ手の回動によって特定方向に移動するラッチ駆動部と、を含み、
前記ラッチ駆動部が前記特定方向に移動すると、前記ラッチが引込まれることを特徴とするモーチスロック。
【請求項２】
ラッチの突出又は引込みで扉の開閉を決定し、デッドボルトの突出で扉のロックを決定し、デッドボルトの引込みで扉のロック解除を決定するモーチスロックにおいて、
ユーザによって、押し引きされる取っ手と、
前記扉の前面及び後面の一側に装着され、前記取っ手が回動できるように、前記取っ手の一側が挿入固定されるローズと、
前記ローズに挿入された前記取っ手の一側が連結されて、前記取っ手の回動によって、上下摺動するギアガイドと、
一側は、前記ギアガイドに連結され、他側は、前記ラッチに連結されて、前記ギアガイドの上下摺動によって特定方向に移動するラッチ駆動部と、を含み、
前記ラッチ駆動部が前記特定方向に移動すると、前記ラッチが引込まれることを特徴とするモーチスロック。
【請求項３】
ラッチの突出又は引込みで扉の開閉を決定し、デッドボルトの突出で扉のロックを決定し、デッドボルトの引込みで扉のロック解除を決定するモーチスロックにおいて、
ユーザによって、押し引きされる取っ手と、
前記扉の前面及び後面の一側に装着され、前記取っ手が回動できるように、前記取っ手の一側が挿入固定されるローズと、
前記ローズに挿入された前記取っ手の一側が連結されて、前記取っ手の回動によって、上下摺動するギアガイドと、
一側は、前記ギアガイドの内側に嵌合し、前記ギアガイドの上下摺動により特定方向に回転するギアと、
一側は、前記ギアの他側に連結され、他側は、前記ラッチに連結されて、特定方向に移動するラッチ駆動部と、を含み、
前記ラッチ駆動部が前記特定方向に移動すると、前記ラッチが引込まれることを特徴とするモーチスロック。
【請求項４】
ラッチの突出又は引込みで扉の開閉を決定し、デッドボルトの突出で扉のロックを決定し、デッドボルトの引込みで扉のロック解除を決定するモーチスロックにおいて、
ユーザによって、押し引きされる取っ手と、
前記扉の前面及び後面の一側に装着され、前記取っ手が回動できるように、前記取っ手の一側が挿入固定されるローズと、
前記ローズに挿入された前記取っ手の一側が連結されて、前記取っ手の回動によって、上下摺動するギアガイドと、
一側は、前記ギアガイドの内側に嵌合し、前記ギアガイドの上下摺動により特定方向に回転するギアと、
一端は、前記ギアの一側に連結されて、前記ギアと一体に回転する多角柱状のスピンドルブロックと、
前記スピンドルブロックの他端に連結されて一体に回転され、円周の外側に２つの突出部が形成される円周状のスピンドルと、
一側は前記スピンドルの突出部と接触し、他側は前記ラッチに連結されて、特定方向に移動するラッチ駆動部と、を含み、
前記ラッチ駆動部が前記特定方向に移動すると、前記ラッチが引込まれ、
前記スピンドルは、内側の取っ手及び外側の取っ手にそれぞれ対応し、互いに別に駆動される２つの部材からなることを特徴とするモーチスロック。
【発明の詳細な説明】
【技術分野】
【０００１】
本発明は、モーチスロックに関し、より詳しくは、従来のドアロックは、室外からレバーを用いて扉を開閉していたが、本発明は、従来のモーチスロックの開閉部とロック部とを含み、レバーを回すか、上から下に押す形式ではなく、室内・外側のいずれの方向で押すか、引くような新規の方式で扉を開放することができるモーチスロックに関する。
【背景技術】
【０００２】
モーチスロック（mortise lock、イギリスではmortice lock）とは、ロック部と開閉部とが別に設けられ、ロック部にデッドボルトが載置されるドアロックをいう（例えば、特許文献１及び２参照）。図１は、従来のモーチスロックの斜視図である。図１に示しているように、従来のモーチスロックは、デッドボルト１と、鍵孔２と、取っ手３と、ヒンジ４と、面板５と、ラッチ６とを含む。縦枠（doorjamb）には、ラッチ６とデッドボルト１とが挿入可能なドアキープが設けられる。
【０００３】
従来のドアロックとは異なり、モーチスロックは、 安定したロック状態を提供するために、取っ手に連結されるラッチ６とは別に、取っ手に連結されないロック部のラッチを有する。モーチスロックにおいて、開閉部のラッチ６は、一般のドアロックのように、取っ手に連結されるが、一般のドアロックのロック機能は提供しない。そこで、モーチスロックにおいて、取っ手に連結されたラッチ６は、'sash locks'と呼ばれる。取っ手に連結されないロック部のラッチは、'dead bolt'、又は'dead lock'とも呼ばれる。デッドボルトは、キー装置と連結されて、ドアをロックする。
【０００４】
モーチスロックは、他のドアロックと比較して、設置が難しいことではないが、一般のシリンダ型ロック（bored cylindrical lock）よりも強力なロック状態を具現するができる。 
【０００５】
このようなモーチスロックにおいては、多くの取っ手３がレバー状又は矩状に形成され、回す方式を採っている。図２は、従来のモーチスロックの内部を示す模式図である。図２に示しているように、モーチスロックの内部には、スピンドルブロック９と、スピンドル８と、ラッチ駆動部７と、ラッチ６とが設けられる。ユーザが取っ手を回すと、スピンドルブロック９が特定方向に回転し、前記特定方向に回転するスピンドルブロック９によって、スピンドル８も、前記特定方向に回転する。ここで、前記特定方向がラッチ駆動部７を押し出す方向であると、前記ラッチ駆動部７が後に押され、ラッチ６が扉の内側に引き込まれることになって、扉が開放される。扉の取っ手を回す方向が逆方向であると、スピンドル８の突出部（Ｓ）が回転阻止部（Ｂ）に接触して、特定角度以上で取っ手を回すことができなくなる。
【先行技術文献】
【特許文献】
【０００６】
【特許文献１】韓国特許第１０−０５５４７０３号明細書
【特許文献２】韓国特許公開第１０−２００９−０００１２６６号明細書
【発明の概要】
【発明が解決しようとする課題】
【０００７】
従来のモーチスロックの開閉部は、ユーザが手で一方向に取っ手を回す場合にのみ、扉を開閉することができる。即ち、手で取っ手を握り（１ステップ）、取っ手に力を与え（２ステップ）、取っ手を回した状態で（３ステップ）、扉を開く（４ステップ）ような４ステップの動作で扉を開かなければならなかった。 
【０００８】
このため、手の使用が困難な人が扉を開閉するか、手の使用が困難な状況で扉を開閉することが難しいという不都合があった。そこで、本発明は、前記のような問題点を解決するために創案されたものである。
【０００９】
本発明の目的は、扉の取っ手を握るか、回すことなく、単に、扉の取っ手を押すか、引くような１ステップの動作だけで、扉を容易に開閉可能であり、且つ、作動の繰返し性が向上したモーチスロック、及びこれを用いた扉を提供することにある。
【課題を解決するための手段】
【００１０】
以下、本発明の目的を達成するための具体的な手段について説明する。
【００１１】
本発明の目的は、扉の内部に設けられ、ラッチの突出又は引込みで扉の開閉を決定し、デッドボルトの突出で扉のロックを決定し、デッドボルトの引込みで扉のロック解除を決定するモーチスロックにおいて、ユーザによって、押し引きされる取っ手と、前記扉の前面及び後面の一側に装着され、前記取っ手が回動できるように、前記取っ手の一側が挿入固定されるローズと、一側は、前記ローズに挿入された前記取っ手の一側に連結され、他側は、前記ラッチに連結されて、前記取っ手の回動によって特定方向に移動するラッチ駆動部と、を含み、前記ラッチ駆動部が前記特定方向に移動すると、前記ラッチが引込まれるモーチスロックを提供することにある。
【００１２】
又は、ユーザによって、押し引きされる取っ手と、前記扉の前面及び後面の一側に装着され、前記取っ手が回動できるように、前記取っ手の一側が挿入固定されるローズと、前記ローズに挿入された前記取っ手の一側が連結されて、前記取っ手の回動によって、上下摺動するギアガイドと、一側は、前記ギアガイドに連結され、他側は、前記ラッチに連結されて、前記ギアガイドの上下摺動によって特定方向に移動するラッチ駆動部と、を含み、前記ラッチ駆動部が前記特定方向に移動すると、前記ラッチが引込まれるモーチスロックを提供することにある。
【００１３】
又は、ユーザによって、押し引きされる取っ手と、前記扉の前面及び後面の一側に装着され、前記取っ手が回動できるように、前記取っ手の一側が挿入固定されるローズと、前記ローズに挿入された前記取っ手の一側が連結されて、前記取っ手の回動によって、上下摺動するギアガイドと、一側は、前記ギアガイドの内側に嵌合し、前記ギアガイドの上下摺動により特定方向に回転するギアと、一側は、前記ギアの他側に連結され、他側は、前記ラッチに連結されて、特定方向に移動するラッチ駆動部と、を含み、前記ラッチ駆動部が前記特定方向に移動すると、前記ラッチが引込まれるモーチスロックを提供することにある。
【００１４】
又は、ユーザによって、押し引きされる取っ手と、前記扉の前面及び後面の一側に装着され、前記取っ手が回動できるように、前記取っ手の一側が挿入固定されるローズと、前記ローズに挿入された前記取っ手の一側が連結されて、前記取っ手の回動によって、上下摺動するギアガイドと、一側は、前記ギアガイドの内側に嵌合し、前記ギアガイドの上下摺動により特定方向に回転するギアと、一端は、前記ギアの一側に連結されて、前記ギアと一体に回転する多角柱状のスピンドルブロックと、前記スピンドルブロックの他端に連結されて一体に回転され、円周の外側に２つの突出部が形成される円周状のスピンドルと、一側は前記スピンドルの突出部と接触し、他側は前記ラッチに連結されて、特定方向に移動するラッチ駆動部と、を含み、前記ラッチ駆動部が前記特定方向に移動すると、前記ラッチが引込まれ、前記スピンドルは、内側の取っ手及び外側の取っ手にそれぞれ対応し、互いに別に駆動される２つの部材からなるモーチスロックを提供することにある。
【発明の効果】
【００１５】
上記のように本発明によると、以下のような効果が得られる。
【００１６】
本発明によると、ユーザが室内側又は室外側で扉の取っ手を押すか、引くような１ステップの動作だけで、扉を容易に開閉することができる。これより、火災、又は両手に品物を持っているユーザ、子供、患者又は障害者の場合にも、手を直接使用せず、身体の一部だけを使って扉を容易に開閉することができる。 
【００１７】
また、本発明によると、引く扉、押す扉、左側取っ手の扉、右側取っ手の扉のような全ての種類の扉に適用可能であるので、建物にいずれのタイプの扉が装着されても、即時適用が可能である。従来には、建物に装着された扉の種類によって、異なるドアロック製品を適用しなければならなかった。
【００１８】
更に、本発明によると、多数の締結機構が不要であるため、その構造が単純となり、破損する場合、修理及び入替作業が簡単且つ迅速になるという効果がある。
【００１９】
なお、本発明によると、ユーザが扉を開閉する場合、ユーザの手と扉の取っ手との接触面を最小化することができるので、国民衛生の増進にも寄与する。
【００２０】
また、本発明によると、構成が単純であるので、ロック装置が安定し、繰返し性が向上するという効果がある。
【００２１】
更に、本発明によると、扉の開閉装置の繰返し作動にもかかわらず、正確性を維持し、駆動エラー率が格段に減少するという効果がある。
【００２２】
なお、本発明によると、取っ手を回す必要がないため、モーチスロックの取っ手の形状が、従来のように単純な外見に限られず、取っ手の形状を自在に具現することができるという効果がある。
【００２３】
更に、本発明によると、一方で扉の取っ手を押すか引いても、反対側の扉の取っ手は動かないという効果がある。即ち、両方の取っ手が別に作動される。
【００２４】
本明細書に添付する下記の図面は、本発明の好適な実施例を例示することであり、発明の詳細な説明と共に、本発明の技術的思想を更に理解させるものであるので、本発明は、そのような図面に示された事項に限って解してはいけない。
【図面の簡単な説明】
【００２５】
【図１】図１は、従来のモーチスロックの斜視図である。
【図２】図２は、従来のモーチスロックの内部を示す模式図である。
【図３】図３は、本発明の１実施例によるモーチスロックの斜視図である。
【図４】図４は、本発明の１実施例によるモーチスロックの一部を示す分解斜視図である。
【図５】図５は、本発明の１実施例によるモーチスロックの一部を示す斜視図である。
【図６】図６は、本発明の１実施例によるモーチスロックのスピンドルとラッチ駆動部との作動関係を示す模式図である。
【図７】図７は、本発明の１実施例によるモーチスロックのスピンドルとラッチ駆動部との作動関係を示す模式図である。
【発明を実施するための形態】
【００２６】
以下、添付の図面を参照して、本発明が属する技術の分野における通常の知識を有する者が、本発明を容易に実施することができるような実施例について詳細に説明する。但し、本発明の好適な実施例についての動作原理を詳述することに当たり、関連する公知機能又は構成に関する具体的な説明が、本発明の要旨を濁していると判断される場合は、その詳細な説明を省略する。
【００２７】
また、全図において、類似の機能及び作用をする部分については、同一の図面符号を付することにする。また、明細書の全般に亙って、ある部分が他の部分に連結されているということは、直接的に連結されている場合のみならず、その中間に他の素子を挟んで、間接的に連結されている場合も含む。また、ある構成要素を含むということは、特別に反対の記載がない限り、他の構成要素を除くことではなく、他の構成要素を更に含むことができることを意味する。
【００２８】
モーチスロック
モーチスロックについて、図３は、本発明の１実施例によるモーチスロックの斜視図であり、図４は、本発明の１実施例によるモーチスロックの一部を示す分解斜視図である。図３及び図４に示しているように、本発明の１実施例によるモーチスロックは、取っ手１０と、ローズ２０と、ブラケット２１と、ラッチ駆動部３０と、スピンドル４０と、スピンドルブロック５０と、ギア７０などから構成される。
【００２９】
取っ手１０は、板状からなり、ユーザが押し引きすることができるようになっている。また、ユーザが扉を容易に押し引きするように、取っ手１０は、前方に特定の角度分だけ傾斜している。また、後面の一側に、後方に突出し、ローズ２０の一側に挿入される突出部１１が設けられる。突出部１１の一側には、回転軸を構成するシャフトが挿入されるシャフト孔１２が設けられる。シャフト孔１２を中心に、取っ手１０が回転して、ギアガイド６０に上下駆動力を供する。ユーザが取っ手を引くと、突出部１１は、上方に移動する。取っ手の形状は、用途やユーザの好みによって選択可能である。
【００３０】
ローズ２０は、板状からなり、扉に取付け固定される。ローズ２０の前面の一側には、取っ手１０の突出部１１が挿入される挿入孔２５が設けられる。このような挿入孔２５の一側には、取っ手のシャフト孔１２に対応する位置に、シャフト孔２６が設けられる。これらのシャフト孔１２、２６にシャフトが挿入固定されることで、取っ手１０とローズ２０とは回動可能に連結される。また、ローズ２０の前面の一側には、キー装置が載置される鍵孔２２が設けられる。ローズ２０の内側には、ギアガイド６０が上下に往復動可能に設けられる。ローズ２０の後面には、ブラケット２１が装着されて、ギアガイド６０とギア７０とが、ローズ２０内側で自由に往復動できるように保護する。このようなローズ２０は、扉の内側と外側に、扉を中心に対称的に設けられる。
【００３１】
ブラケット２１は、ローズ２０の後面に装着されて、ギアガイド６０とギア７０とを保護する。ブラケット２１は、ギア７０が貫通するギア貫通孔２４と、鍵が貫通する鍵孔２３とを有する。
【００３２】
ラッチ駆動部３０は、一端のラッチ連結部３１でラッチに連結されて、ラッチの往復動を駆動させる。ラッチ駆動部３０は、スピンドル４０と接触し、ラッチの運動方向で往復動することになる。ラッチ駆動部３０は、スピンドル４０の突出部４１が一部嵌合状態で挿入される嵌合部３２を有する。スピンドル４０が或る方向に回転すると、ラッチ駆動部３０は、ラッチが扉の内側に引込まれる方向に移動することになる。ラッチ駆動部３０には、ラッチの引込み方向と逆の方向に弾性力を与えるように、一側に弾性部材を結合することができる。本発明の１実施例により、スピンドル４０が内・外側に分離されても、本発明によるモーチスロックは、１つのラッチ駆動部３０だけを有することができ、前記ラッチ駆動部３０は、内・外側のスピンドルと共通接触することになる。
【００３３】
スピンドルブロック５０は、スピンドル４０の中心を介して貫通し、ラッチ駆動部３０は、スピンドル４０に連結される。スピンドル４０の少なくとも一側には、突出部４１が設けられ、スピンドル４０の突出部４１は、ラッチ駆動部３０の嵌合部３２と一部整合して、スピンドル４０が特定方向に回転すると、突出部４１がラッチ駆動部３０の嵌合部３２を押して、ラッチ駆動部３０が一方向に移動することになる。本発明の１実施例によると、回転軸からスピンドル４０の上下部に、２つの突出部４１が設けられ、２つの突出部４１が共にラッチ駆動部３０と接触することで、スピンドル４０のいずれの回転方向においても、突出部４１がラッチ駆動部３０の嵌合部３２を押し出す。回転軸からスピンドル４０の上下部に２つの突出部が設けられるので、押し引きタイプのモーチスロックを実現することができる。
【００３４】
即ち、本発明の１実施例によるスピンドル４０は、従来のモーチスロックのスピンドルとは異なり、回転方向に制限がないため、別の回転阻止部が不要となる。
【００３５】
スピンドル４０は、スピンドルブロック５０によって、ギア７０と共に回転する。 
【００３６】
スピンドル４０は、内側の取っ手に連結される内スピンドルと、外側の取っ手に連結される外スピンドルとに分離することができる。内スピンドルと外スピンドルとはそれぞれ、内スピンドルブロックと外スピンドルブロックとによって、駆動力を提供される。内スピンドルブロックと外スピンドルブロックとは、互いに駆動を干渉しない。このような内・外スピンドルは、一つのラッチ駆動部３０を共有して、ラッチ駆動部３０に接触するようになっている。これは、１つのラッチは、１つのラッチ駆動部を必要とするからである。
【００３７】
スピンドルブロック５０は、スピンドル４０にギア７０の回転力を伝達するために、スピンドル４０とギア７０とを互いに連結する部材である。本発明の１実施例によると、このようなスピンドルブロック５０は、内側の取っ手による動作と、外側の取っ手による動作とを別にするために、短く形成される。即ち、内・外側の取っ手が互いに別に動作される。
【００３８】
ギア７０は、ギアガイド６０の上下往復動を回転運動に切り換える。また、ギア７０は、扉の厚さ方向に形成された円柱状部材の外郭の一側に設けられた複数の凸部７１を有する。このような複数の凸部７１は、ギアガイド６０の内側に設けられた凹部６３に嵌合される。ギア７０にスピンドルブロック５０が挿入されて、一体に回転される。ギア７０は、ブラケット２１を介して貫通する。
【００３９】
ギアガイド６０は、ユーザが取っ手１０に与える外力によって、ローズ２０の内側で上下に往復動することになる。ギアガイド６０の内側をギア７０が貫通しながら、ギアガイド６０の 凹部６３に、ギア７０の凸部７１が嵌合することになる。また、ギアガイド６０の往復動時に、ギア７０が常に嵌合している空間を供するギア孔６２が設けられる。前記ギアガイド６０の一側には、上下駆動力を供するために、取っ手１０に連結される取っ手連結部６１が設けられる。そこで、取っ手１０に作用する外力が切り換えられて、ギアガイド６０の取っ手連結部６１に上下駆動力として伝達され、ギアガイド６０の上下駆動力は、ギアガイド６０の内側に嵌合して回転するギア７０に、回転力として伝達されることになる。
【００４０】
モーチスロックの作動関係
モーチスロックの作動関係について、図５は、本発明の１実施例によるモーチスロックの一部を示す斜視図であり、図６及び図７は、本発明の１実施例によるモーチスロックのスピンドルとラッチ駆動部との作動関係を示す模式図である。図５乃至図７に示しているように、本発明の１実施例によるモーチスロックにおいて、ユーザが取っ手１０に外力を与えると、シャフト孔１２に挿入されるシャフトの周りに取っ手１０が回転することになる。例えば、ユーザが取っ手１０を引くと、取っ手１０の突出部１１は、上方に移動する。取っ手１０の突出部１１に伝達された外力は、ギアガイド６０に伝達されて、ギアガイド６０を上下に摺動させる。
【００４１】
突出部１１に伝達される上下駆動力は、ギアガイド６０の取っ手連結孔６１に伝達され、直ぐ、ギアガイド６０に上下駆動力として伝達されて、取っ手１０とギアガイド６０とがシャフトの周りに一体に回転することになる。
【００４２】
ギアガイド６０の上下動は、ギアガイド６０の内側に嵌合されるギア７０を回転させる。ギア７０の回転は、スピンドルブロック５０を回転させ、スピンドルブロック５０の回転は、スピンドル４０を回転させる。スピンドル４０の回転は、ラッチ駆動部３０を、ラッチの引込み方向に移動させる。ラッチ駆動部３０の移動は、ラッチを扉の内側に引込ませる。すなわち、ギア７０と、スピンドルブロック５０と、スピンドル４０とは、一体に回転され、このような回転力は、ラッチ駆動部３０の直線運動を行わせる。
【００４３】
このように、本発明の１実施例によると、押し引きタイプのドアロックを具現し、簡単な構成によりエラー率が少なく、繰返し性が向上し、多数の締結機構がないため、その構造が単純となって、破損の場合、修理及び入替作業が簡単且つ迅速になるという効果がある。
【００４４】
また、従来には、ヒンジ構造が、扉の厚さ方向に形成されているため、回すドアロックだけを実現していたが、本発明によると、シャフトが扉の厚さ方向に垂直に形成されているため、押し引きタイプのドアロックを実現することができる。
【００４５】
また、従来には、扉の両方から押し引きモーチスロックの具現が不可能であったが、本発明によると、スピンドルを内外側の２つに分離し、スピンドルブロックもそれぞれ分離することができるので、扉の両方から押し引きモーチスロックの具現が可能となっている。
【００４６】
更に、従来には、スピンドルが１回転方向からのみ、ラッチ駆動部を押すように構成されていたため、扉の両方から押し引きモーチスロックの実現が不可能であったが、本発明によると、スピンドルがどの回転方向でもラッチ駆動部を押すことができるので、扉の両方から押し引きモーチスロックの具現が可能である。
【００４７】
以上で説明したように、本発明が属する技術の分野における通常の技術者は、本発明がその技術的思想や必須の特徴を変更しなくても、他の具体的な形態への実施が可能であることは理解されるだろう。そのため、上述した実施例は、全ての面で例示に過ぎず、限定的なものではないが理解されるだろう。本発明の範囲は、詳細な説明よりは、後述する特許請求の範囲によって現わされ、特許請求の範囲の意味及び範囲、そして、等価概念から導出される全ての変更・変形した形態が、本発明の範囲に含むことと解されるべきである。
【符号の説明】
【００４８】
１: デッドボルト
２: 鍵孔
３: 取っ手
４: ヒンジ
５: 面板
６: ラッチ
７: ラッチ駆動部
８: スピンドル
９: スピンドルブロック
１０: 取っ手
１１: 突出部
１２: シャフト孔
２０: ローズ
２１: ブラケット
２２: 鍵孔
２３: 鍵孔
２４: ギア貫通孔
２５: 挿入孔
２６: シャフト孔
３０: ラッチ駆動部
３１: ラッチ連結部
３２: 嵌合部
４０: スピンドル
４１: 突出部
５０: スピンドルブロック
６０: ギアガイド
６１: 取っ手連結部
６２: ギア孔
６３: 凹部
７０: ギア
７１: 凸部
Ｓ: 突出部
Ｂ: 回転阻止部
【図１】
2016035186.tif 000003
【図２】
2016035186.tif 000004
【図３】
2016035186.tif 000005
【図４】
2016035186.tif 000006
【図５】
2016035186.tif 000007
【図６】
2016035186.tif 000008
【図７】
2016035186.tif 000009